(57)【特許請求の範囲】
【請求項１】
車両シートに固定する固定部と、
該固定部に接近する格納位置と、該固定部から離間する使用領域との間を移動可能なオットマンと、
該オットマンを支持し、かつ該オットマンを上記格納位置と上記使用領域とに移動させる移動機構と、
上記固定部、オットマン、及び、移動機構のいずれかに設けた、該移動機構の動作を規制するロック状態と規制解除するアンロック状態とに切り替わるロック手段と、
両端が、上記固定部、オットマン、及び、移動機構のいずれかに接続する、上記オットマンを上記使用領域側に移動させるように上記移動機構を付勢する付勢手段と、
を備え、
上記移動機構が、
上記固定部に接続すると共に上記オットマンを支持する、上記オットマンを上記格納位置と上記使用領域とに移動させるオットマン変位機構と、
上記ロック手段とオットマン変位機構を連結するロック手段側リンク機構と、
上記付勢手段の付勢力を上記オットマンが上記使用領域側に移動するように上記オットマン変位機構に伝達する付勢手段側リンク機構と、
を備えることを特徴とする車両シート用オットマン装置。
【請求項２】
請求項１記載の車両シート用オットマン装置において、
上記付勢手段側リンク機構による上記付勢力の上記オットマン変位機構への伝達効率が、上記オットマンが上記格納位置に位置するときに比べて上記使用領域に位置するときの方が高い車両シート用オットマン装置。
【請求項３】
請求項２記載の車両シート用オットマン装置において、
上記付勢手段がバネ手段であり、
上記付勢手段側リンク機構が、
上記付勢手段に接続する、第１回転中心を備える第１リンクと、
該第１リンクの上記第１回転中心とは異なる第１接続中心にて回転可能に接続する第２リンクと、
該第２リンクの上記第１接続中心と異なる第２接続中心にて回転可能に接続し、及び、該第２接続中心と異なる位置において上記オットマン変位機構に接続する第３リンクと、
を具備し、
上記第１回転中心と上記第１接続中心を結ぶ第一直線と上記第１接続中心と上記第２接続中心を結ぶ第二直線とがなす角度が、上記オットマンが上記格納位置に位置するときに鋭角をなし、上記オットマンが上記使用領域側に移動するにつれて徐々に大きくなる車両シート用オットマン装置。
【請求項４】
請求項１から３のいずれか１項記載の車両シート用オットマン装置において、
上記固定部が、上記ロック手段に接続するロック手段側固定部と、上記付勢手段に接続する付勢手段側固定部と、を有し、
上記オットマン変位機構が、一端が上記ロック手段側固定部に回転可能に支持され他端が付勢手段側固定部に回転可能に支持される連結軸を備えるリンク機構であり、
上記ロック手段側リンク機構が、上記連結軸の軸線方向における上記オットマン変位機構の中央部において上記連結軸に固定状態で接続する車両シート用オットマン装置。
【発明の詳細な説明】
【技術分野】
【０００１】
本発明は、車両シートに取り付けて使用する乗客の足を載せるための車両シート用オットマン装置に関する。
【背景技術】
【０００２】
車両シート用オットマン装置の従来技術としては、例えば特許文献１に開示されたものがある。
このオットマン装置は、伸張及び短縮可能なリンク機構（リンク装置）と、リンク機構の一端（前端）で支持したオットマンと、一端をリンク機構に係止したスプリングと、リンク機構の伸張及び短縮動作を規制又は許容するロック手段と、を具備している。
オットマン装置は、リンク機構の他端（後端）をシートと一体化した取付ブラケットに接続した後に、取付ブラケットとリンク機構の間に形成される空間を利用してスプリングの他端を取付ブラケットに係止することにより、シートに取り付ける。
【０００３】
リンク機構が短縮状態にありかつロック手段がロック状態にあるとき、オットマンは取付ブラケット側に接近してシートクッションの直下に位置する。
ロック操作手段によってロック手段をアンロック状態にすると、スプリングによって付勢されたリンク機構が伸張状態となりオットマンが取付ブラケットから前方に離間する。そしてオットマンが乗客にとって使い易い位置まで移動したときにロック操作手段を元の位置に戻すと、ロック手段が再びロック状態となってリンク機構が変形不能となる。その結果、オットマンが当該位置に保持されるので、シートに座った乗客は自身の足をオットマンに載せることが可能になる。
【先行技術文献】
【特許文献】
【０００４】
【特許文献１】特許第４６６４６８９号公報
【発明の概要】
【発明が解決しようとする課題】
【０００５】
シート側の取付ブラケットとリンク機構の間に形成される空間は狭いので、スプリングの取付ブラケットに対する係止作業は難しく、それ故、オットマン装置をシート（取付ブラケット）に取り付ける作業は容易でなかった。
【０００６】
本発明は、オットマンを移動付勢する付勢手段を具備するものでありながら、シートへの取り付けを容易に行うことが可能な車両シート用オットマン装置を提供することを目的とする。
【課題を解決するための手段】
【０００７】
本発明の車両シート用オットマン装置は、車両シートに固定する固定部と、該固定部に接近する格納位置と、該固定部から離間する使用領域との間を移動可能なオットマンと、該オットマンを支持し、かつ該オットマンを上記格納位置と上記使用領域とに移動させる移動機構と、上記固定部、オットマン、及び、移動機構のいずれかに設けた、該移動機構の動作を規制するロック状態と規制解除するアンロック状態とに切り替わるロック手段と、両端が、上記固定部、オットマン、及び、移動機構のいずれかに接続する、上記オットマンを上記使用領域側に移動させるように上記移動機構を付勢する付勢手段と、を備え、上記移動機構が、上記固定部に接続すると共に上記オットマンを支持する、上記オットマンを上記格納位置と上記使用領域とに移動させるオットマン変位機構と、上記ロック手段とオットマン変位機構を連結するロック手段側リンク機構と、上記付勢手段の付勢力を上記オットマンが上記使用領域側に移動するように上記オットマン変位機構に伝達する付勢手段側リンク機構と、を備えることを特徴としている。
【０００９】
上記付勢手段側リンク機構による上記付勢力の上記オットマン変位機構への伝達効率が、上記オットマンが上記格納位置に位置するときに比べて上記使用領域に位置するときの方が高くてもよい。
例えば、上記付勢手段がバネ手段であり、上記付勢手段側リンク機構が、上記付勢手段に接続する、第１回転中心を備える第１リンクと、該第１リンクの上記第１回転中心とは異なる第１接続中心にて回転可能に接続する第２リンクと、該第２リンクの上記第１接続中心と異なる第２接続中心にて回転可能に接続し、及び、該第２接続中心と異なる位置において上記オットマン変位機構に接続する第３リンクと、を具備し、上記第１回転中心と上記第１接続中心を結ぶ第一直線と上記第１接続中心と上記第２接続中心を結ぶ第二直線とがなす角度が、上記オットマンが上記格納位置に位置するときに鋭角をなし、上記オットマンが上記使用領域側に移動するにつれて徐々に大きくなるようにしてもよい。
【００１０】
上記固定部が、上記ロック手段に接続するロック手段側固定部と、上記付勢手段に接続する付勢手段側固定部と、を有し、上記オットマン変位機構が、一端が上記ロック手段側固定部に回転可能に支持され他端が付勢手段側固定部に回転可能に支持される連結軸を備えるリンク機構であり、上記ロック手段側リンク機構が、上記連結軸の軸線方向における上記オットマン変位機構の中央部において上記連結軸に固定状態で接続してもよい。
【発明の効果】
【００１１】
本発明の車両シート用オットマン装置は、固定部、オットマン、及び、移動機構のいずれかに接続する付勢手段を設けているので、固定部を車両シートに対して固定するだけでオットマン装置を車両シートに対して取り付けることができる。そのためオットマンを移動付勢する付勢手段を具備するものでありながら、シート側への取り付けを容易に行うことが可能である。そして、ロック手段及び付勢手段をリンク機構（ロック手段側リンク機構、付勢手段側リンク機構）を介してオットマン変位機構に接続しているので、ロック手段及び付勢手段をオットマン変位機構の周辺（側面視においてオットマン変位機構と重なる部分とは異なる場所）に配置できる。そのためオットマン変位機構と重なる部分（一般的に狭い空間しか存在しない）にロック手段及び付勢手段を配置する場合に比べて、ロック手段及び付勢手段を簡単に取り付けることが可能になる。
【００１３】
請求項２の発明のように構成すると、格納位置に位置しているオットマンを付勢手段の付勢力を利用して使用領域側に移動させるときに、（静止していた）オットマンが付勢手段の付勢力によって急激に使用領域側に移動することを防止できる。
その一方で、使用領域側に近づいたときには付勢手段の付勢力をオットマン変位機構に効率よく伝達できるので、オットマンを使用領域まで円滑に移動させることが可能である。
【００１４】
請求項３の発明のようにすれば、簡単な構成により、請求項２の効果を発揮できるようになる。
【００１５】
請求項４の発明によれば、オットマンを介してオットマン変位機構に掛かる（乗客の足の）荷重を、（変位機構側リンクを連結軸に対して、オットマン変位機構の中央部ではなく端部側に接続した場合に比べて）ロック手段側リンク機構によって確実に受け止めることが可能になる。
【図面の簡単な説明】
【００１６】
【図１】本発明の一実施形態の車両シートのシートクッションと、シートクッションの前部に取り付けたマニュアル式オットマン装置の、オットマンが格納位置に位置するときのバネ手段側リンク機構を省略して示す側面図である。
【図２】ロック手段側リンク機構を省力して示す図１と同様の側面図である。
【図３】オットマンが前端位置まで移動したときのマニュアル式オットマン装置のバネ手段側リンク機構を省略して示す側面図である。
【図４】ロック手段側リンク機構を省力して示す図３と同様の側面図である。
【図５】マニュアル式オットマン装置の前方から見た分解斜視図である。
【図６】オットマンが前端位置に位置するときのマニュアル式オットマン装置の固定部側上部リンクを省略して示す平面図である。
【図７】オットマンが格納位置に位置するときのバネ手段側リンク機構の拡大側面図である。
【図８】オットマンが前端位置に位置するときのバネ手段側リンク機構の拡大側面図である。
【発明を実施するための形態】
【００１７】
以下、添付図面を参照しながら本発明の一実施形態について説明する。なお、以下の説明中の方向は図中の矢印方向を基準としている。
図１に示す車両用シート１０は、車両床面に取り付けられるシートクッション１１と、シートクッション１１の後部に対して回転可能に接続したシートバック（図示略）とを備えるリクライニングシートである。車両用シート１０のシートクッション１１の下面の前端部にはマニュアル式のオットマン装置１３が取り付けてある。
【００１８】
オットマン装置１３は以下に説明する構造である。
オットマン装置１３は左右一対の固定部１４Ａ（ロック手段側固定部）、１４Ｂ（付勢手段側固定部）を具備している。左右の固定部１４Ａ、１４Ｂに形成した円形孔には、左右方向に延びる円柱形状の連結軸１６（第２回転中心）の両端部がそれぞれ回転可能に嵌合している。連結軸１６の２カ所には、断面形状がコ字形状をなす固定部側上部リンク１７の左右両側壁に形成した結合用凹部１７ａがそれぞれ固定状態で嵌合している。また左右の固定部１４Ａ、１４Ｂには、左右一対の固定部側下部リンク１８の一方の端部が左右方向に伸びる一対の回転接続ピン２０によってそれぞれ回転可能に接続している。図示するように固定部側上部リンク１７と固定部側下部リンク１８は側面視においてほぼ平行であり、側面視における固定部側下部リンク１８の長さは固定部側上部リンク１７のほぼ半分である。固定部側上部リンク１７の両側壁の中間部と左右の固定部側下部リンク１８の他方の端部には、固定部側上部リンク１７及び固定部側下部リンク１８と異なる方向に伸びる左右一対のオットマン側後部リンク２１の中間部と一方の端部がそれぞれ、共に左右方向に延びかつ左右一対の回転接続ピン２２、２３によって回転可能に接続してある。固定部側上部リンク１７の両側壁の他方の端部には、オットマン側後部リンク２１とほぼ平行なオットマン側前部リンク２４の左右両側壁の一方の端部がそれぞれ、左右方向に延びる左右一対の回転接続ピン２５によって回転可能に接続してある。
連結軸１６、固定部側上部リンク１７、固定部側下部リンク１８、回転接続ピン２０、オットマン側後部リンク２１、回転接続ピン２２、２３、オットマン側前部リンク２４、回転接続ピン２５がリンク機構からなるオットマン変位機構１５の構成要素である（左側の固定部側下部リンク１８、オットマン側後部リンク２１と右側の固定部側上部リンク１７、オットマン側後部リンク２１は互いに同期しながら回転する）。オットマン変位機構１５は、図１、図２に示す短縮状態、図３、図４に示す最大展開状態、及び、短縮状態と最大展開状態の間の各状態に変形可能である。
【００１９】
オットマン変位機構１５の左右のオットマン側後部リンク２１及びオットマン側前部リンク２４の前端部にはオットマン３２が取り付けてある。オットマン３２は、左右方向に長い矩形形状のベース板３３と、ベース板３３の表面及び周面に固着したクッション３５（図１、図２の仮想線参照）と、を具備している。
ベース板３３の左右両側壁には、オットマン側前部リンク２４の左右両側壁の端部が左右方向に延びる左右一対の回転接続ピン３７によって回転可能に接続してある。またベース板３３の左右両側壁には、左右のオットマン側後部リンク２１の端部が左右方向に延びる左右一対の回転接続軸３９によって回転可能に接続してある。このようにオットマン３２はオットマン変位機構１５（オットマン側後部リンク２１、オットマン側前部リンク２４）に回転可能に支持されているので、オットマン変位機構１５の短縮動作及び展開動作に連動して固定部１４Ａ、１４Ｂに対する前後方向距離を変化させる。即ち、オットマン変位機構１５が上記短縮状態にあるときオットマン３２は図１、図２に示す格納位置に位置し、短縮状態にあるオットマン変位機構１５が前方に向かって伸張するとオットマン３２は使用領域（格納位置より前方の領域）に移動する。そしてオットマン変位機構１５が前方に向かって最大限伸張したときに、オットマン３２は図３、図４、図６に示す前端位置（使用領域の前端位置）に位置する。
【００２０】
右側の固定部１４Ａの内側面にはロック手段４０が取り付けてある。このロック手段４０は、シートクッション１１とシートバックの回転接続部にも適用可能な周知のものである。そのためロック手段４０の詳細な説明は省略するが、その構造を簡単に説明すると、大きな構成要素としてギヤプレート４１、ベースプレート４２、回転中心軸４３、可動ロック部材、及び、バネを具備している。円盤状のギヤプレート４１は、その右側面に形成した凸部を固定部１４Ａに形成した結合孔１４Ａ１に嵌合することにより、固定部１４Ａに対して固定してある。ギヤプレート４１の左側面に形成された円形凹部の内周面全体には、（数十個又は１００個以上の多数のギヤ歯を周方向に並べた構造である）内歯ギヤが形成してある。ギヤプレート４１は、ギヤプレート４１の左側に位置する円盤状のベースプレート４２の右側面に形成された円形空間（環状壁によって囲まれた空間）に相対回転可能に嵌合している。ギヤプレート４１とベースプレート４２の中心部には、左右方向に延びかつ該中心部を貫通する回転中心軸４３が、相対回転可能に支持してある。ベースプレート４２の上記円形空間には、ベースプレート４２に対して相対回転不能かつ径方向に相対移動可能な可動ロック部材が配設してある。可動ロック部材は外歯ギヤ（ギヤプレート４１の内歯ギヤより少ない数のギヤ歯を有する）を具備している。可動ロック部材は、外歯ギヤがギヤプレート４１の内歯ギヤと噛合するロック位置と、内歯ギヤから内周側に離間するアンロック位置との間を、ベースプレート４２に対して径方向に相対移動可能であり、図示を省略したバネの付勢力によってロック位置側に付勢されている。従って、可動ロック部材がロック位置に位置するときは、ギヤプレート４１とベースプレート４２は相対回転不能であるが、バネの付勢力に抗して回転中心軸４３を一方向に回転させると可動ロック部材がアンロック位置に移動するので、ギヤプレート４１とベースプレート４２が相対回転可能になる。
固定部１４Ａの右側には、その一端部（基端部）を回転中心軸４３の右端部に固定した回転レバー４５が配設してあり、回転レバー４５の他端部（先端部）には操作ワイヤ４６の一端が接続している。操作ワイヤ４６の他端には図示を省略した操作ノブが取り付けてある。操作ノブを操作しないとき（初期位置に位置するとき）ロック手段４０は上記バネの付勢力によってロック状態に保持され（可動ロック部材がロック位置に位置する）、上記バネの付勢力に抗して操作ノブを操作すると（操作位置に移動させると）ロック手段４０はアンロック状態になる（可動ロック部材がアンロック位置に位置する）。
【００２１】
ベースプレート４２の左側面にはロック手段側リンク機構４８が連係している。ロック手段側リンク機構４８は、ブラケット４９（第１リンク５０）、第２リンク５１、連結ピン５２、第３リンク５３（結合用凹部５４）、及び、連結ピン５５を具備するものである。
ベースプレート４２の左側面に固定したブラケット４９には第１リンク５０が一体的に突設してある。第１リンク５０の先端部の左側には、直線的に延びる板状の第２リンク５１の一端部が位置しており、第１リンク５０の先端部と第２リンク５１の一端部は左右方向に延びる連結ピン５２によって回転可能に接続してある。第２リンク５１の他端部の右側には、板状の第３リンク５３（端部リンク）の一端部が位置しており、第２リンク５１の他端部と第３リンク５３の一端部は左右方向に延びる連結ピン５５によって回転可能に接続してある。第３リンク５３には結合用凹部５４が凹設してあり、結合用凹部５４はオットマン変位機構１５の（連結軸１６の軸線方向の）中央部、即ち、連結軸１６の軸線方向の中央部（オットマン変位機構１５の該軸線方向の中央点よりやや右側）に嵌合固定してある（図６参照）。
このようにロック手段側リンク機構４８はロック手段４０を介して固定部１４Ａとオットマン変位機構１５（連結軸１６）を連係しているので、ロック手段側リンク機構４８の動きはオットマン変位機構１５の動きと連係する。即ち、オットマン変位機構１５が図１、図２に示す短縮状態にあるときロック手段側リンク機構４８は図２に示す折畳状態となり、オットマン変位機構１５が図３、図４に示す最大展開状態にあるときロック手段側リンク機構４８は図４に示す最大伸張状態となる。ただし、ロック手段側リンク機構４８はオットマン変位機構１５の動き（連結軸１６の回転）に追従するだけであり、ロック手段側リンク機構４８側からオットマン変位機構１５（連結軸１６）へ回転力を伝達することはない。
またロック手段４０がロック状態にあるとき（可動ロック部材がロック位置に位置するとき）ロック手段側リンク機構４８は動作不能となり、ロック手段側リンク機構４８と連係しているオットマン変位機構１５も動作不能になる。そのためロック手段４０をロック状態にすることにより、オットマン変位機構１５の状態及びオットマン３２の位置を保持できる。
【００２２】
左側の固定部１４Ｂの内側面と連結軸１６の間には、第１リンク５８、連結ピン５９（第１回転中心）、第２リンク６０、連結ピン６１（第１接続中心）、第３リンク６２（結合用凹部６３）、及び、連結ピン６４（第２接続中心）を具備するバネ手段側リンク機構５７（付勢手段側リンク機構）が設けてある。
板状の第１リンク５８の一端部は、左右方向に延びる連結ピン５９によって、固定部１４Ｂの内側面に対して回転可能に取り付けてある。第１リンク５８の他端部の右側には、板状の第２リンク６０の一端部が位置しており、第１リンク５８の他端部と第２リンク６０の一端部は左右方向に延びる連結ピン６１によって回転可能に接続してある。第２リンク６０の他端部の左側には、第３リンク５３とほぼ同じ形状である第３リンク６２の一端部が位置しており、第２リンク６０の他端部と第３リンク６２の一端部は左右方向に延びる連結ピン６４によって回転可能に接続してある。第３リンク６２の結合用凹部６３は、連結軸１６の軸線方向の左端部近傍に嵌合固定してある（図６参照）。
バネ手段側リンク機構５７はロック手段側リンク機構４８と実質的に同期しながら動作する。即ち、第１リンク５８は第１リンク５０と実質的に同期しながら回転し、第２リンク６０は第２リンク５１と実質的に同期しながら回転し、第３リンク６２は第３リンク５３と実質的に同期しながら回転する。そのためオットマン変位機構１５が図１、図２に示す短縮状態にあるときバネ手段側リンク機構５７は図１に示す折畳状態となり、オットマン変位機構１５が図３、図４に示す最大展開状態にあるときバネ手段側リンク機構５７は図３に示す最大伸張状態となる。
【００２３】
固定部１４Ｂの内側面には取付用ブラケット６６が固定してあり、取付用ブラケット６６にはゼンマイ式（渦巻き状）のバネ手段６７（付勢手段）の一端部（内周側端部）が固定してある。さらにバネ手段６７の他端部（外周側端部）は連結ピン６１の右側端部に固定してある。図２、図４に示すようにバネ手段側リンク機構５７（及び、オットマン変位機構１５、ロック手段側リンク機構４８）がいかなる状態にあるときも、側面視において連結ピン５９はバネ手段側リンク機構５７の中心部に位置する（図２、図４参照）。
バネ手段６７は自由状態から縮径方向に弾性変形可能であり、縮径方向への弾性変形状態を解除すると自由状態に戻ろうとし、このときに回転付勢力を発生する。バネ手段６７が縮径状態から自由状態へ戻ることにより発生する回転付勢力の方向は図２、図４の時計方向であるため、ロック手段４０がアンロック状態になると（可動ロック部材がアンロック位置に位置すると）、バネ手段６７の回転付勢力によってバネ手段側リンク機構５７は最大伸張状態側に変形する。またバネ手段６７の弾性変形量（回転付勢力）は、バネ手段側リンク機構５７が図１、図２に示す折畳状態にあるとき（オットマン変位機構１５が短縮状態にあるとき）が最も大きく、オットマン変位機構１５が伸張するにつれて徐々に小さくなり、バネ手段側リンク機構５７が図３、図４に示す最大伸張状態になったとき（オットマン変位機構１５が最大展開状態になったとき）に最も小さくなる。
【００２４】
バネ手段側リンク機構５７が図１、図２に示す折畳状態にあるとき、第１リンク５８、第２リンク６０、及び、第３リンク６２の位置関係は図７に示すようになる。Ｌ１は連結ピン５９（第１回転中心）と連結ピン６１（第１接続中心）を結ぶ直線、Ｌ２は連結ピン６１と連結ピン６４（第２接続中心）を結ぶ直線、Ｌ３は連結ピン６４と連結軸１６（第２回転中心）を結ぶ直線である。Ｐ１は第１リンク５８の移動力（Ｌ１に直交する方向の回転力）、Ｐ２は第２リンク６０の移動力（Ｌ２の延長方向の移動力）、Ｐ３は第３リンク６２の移動力（Ｌ３に直交する方向の回転力）である。また、このときのＬ１とＬ２がなす角度θ１は鋭角であり、Ｌ２とＬ３がなす角度θ２は鋭角である。
バネ手段６７の回転付勢力によって第１リンク５８が移動力Ｐ１を発生すると、Ｐ２＝Ｐ１・ｃｏｓ（９０°−θ１）はＰ１に比べてかなり小さくなる。またＰ３＝Ｐ２・ｃｏｓ（９０°−θ２）なので、Ｐ３はＰ２に比べてかなり小さくなる。従って、バネ手段６７の回転付勢力は、当該回転付勢力より極めて小さい力Ｐ３となって第３リンク６２に伝わるので、バネ手段側リンク機構５７が図１、図２に示す折畳状態にあるとき（オットマン３２が格納位置に位置するとき）のバネ手段側リンク機構５７による当該回転付勢力のオットマン変位機構１５（連結軸１６）への伝達効率は最も小さくなる。
一方、バネ手段側リンク機構５７が図３、図４に示す最大伸張状態にあるとき、第１リンク５８、第２リンク６０、及び、第３リンク６２の位置関係は図８に示すようになる。Ｐ１’は第１リンク５８の移動力（Ｌ１に直交する方向の回転力）、Ｐ２’は第２リンク６０の移動力（Ｌ２の延長方向の移動力）、Ｐ３’は第３リンク６２の移動力（Ｌ３に直交する方向の回転力）である。また、このときのＬ１とＬ２がなす角度θ１’は９０°より僅かに小さい鋭角であり、Ｌ２とＬ３がなす角度θ２’は９０°より僅かに大きい鈍角である。
バネ手段６７の回転付勢力によって第１リンク５８が移動力Ｐ１’を発生すると、Ｐ２’＝Ｐ１’・ｃｏｓ（９０°−θ１’）はＰ１’とほぼ同じ大きさになる（僅かに小さくなる）。またＰ３’＝Ｐ２’・ｃｏｓ（９０°−θ２’）なので、Ｐ３’はＰ２’とほぼ同じ大きさになる（僅かに小さくなる）。従って、このときバネ手段６７の回転付勢力は、当該回転付勢力とほぼ同じ大きさ（僅かに小さい）の力Ｐ３となって第３リンク６２に伝わる。即ち、バネ手段側リンク機構５７による上記回転付勢力のオットマン変位機構１５（連結軸１６）への伝達効率は、バネ手段側リンク機構５７が折畳状態から最大伸張状態に向けて変化するにつれて徐々に大きくなり、バネ手段側リンク機構５７が図３、図４に示す最大伸張状態になったとき（オットマン３２が前端位置に位置するとき）には、バネ手段６７の回転付勢力は殆どロスすることなくオットマン変位機構１５に伝達される。
【００２５】
以上説明した構成のオットマン装置１３は、左右の固定部１４Ａ、１４Ｂをシートクッション１１の下面の前端部に対してボルト等によってそれぞれ固定することにより、車両用シート１０に取り付けることが可能である（図１参照）。
【００２６】
続いてオットマン装置１３の動作について説明する。
オットマン３２が図１、図２に示す格納位置に位置し（オットマン変位機構１５が短縮状態にあり）、かつ、操作ノブを操作しないとき（操作ノブが上記初期位置に位置し、ロック手段４０がロック状態にあるとき）、オットマン３２は図１、図２に示すように水平方向に対して略直交する状態に保持される。
乗客が手等で操作ノブを操作する（上記操作位置に移動させる）ことによりロック手段４０がアンロック状態になると、バネ手段６７の回転付勢力によって折畳状態にあったバネ手段側リンク機構５７（及びロック手段側リンク機構４８）が伸張するので、バネ手段側リンク機構５７（及びロック手段側リンク機構４８）の動きに連動して、短縮状態にあったオットマン変位機構１５が前方に伸張する。そしてオットマン３２が所望の位置（使用領域の任意の位置）に到達したときに乗客が操作ノブへの操作力を解除すると（操作ノブが初期位置に戻ると）、ロック手段４０の上記バネの付勢力によってロック手段４０がロック状態に復帰するので、ロック手段４０によってオットマン３２が当該所望位置に保持される。
またオットマン３２が当該所望位置に移動した後に、操作ノブを操作することによりロック手段４０をアンロック状態にした上で、バネ手段６７の付勢力に抗してオットマン３２を後方に押圧すると、オットマン変位機構１５が短縮してオットマン３２が格納位置側に移動する。そしてオットマン３２が格納位置まで移動したときにロック手段４０をロック状態に戻せば、オットマン３２を格納位置に保持できる。
【００２７】
上記したようにバネ手段６７の弾性変形量（回転付勢力）は、バネ手段側リンク機構５７が図１に示す折畳状態にあるとき（オットマン３２が格納位置に位置するとき）に最大となるので、オットマン３２が格納位置に位置するときにロック状態にあったロック手段４０をアンロック状態に切り換えると、バネ手段６７が発生する大きな回転付勢力がバネ手段側リンク機構５７（及び、ロック手段側リンク機構４８、オットマン変位機構１５）に及ぶことになる。しかしオットマン３２が格納位置に位置するときのバネ手段側リンク機構５７による当該回転付勢力の伝達効率は最も小さいので、格納位置において静止していたオットマン３２がバネ手段６７の強い付勢力によって急激に使用領域側に移動することはない。
その一方で、バネ手段側リンク機構５７は最大伸張状態に近づくにつれて徐々に伝達効率を高めるので、（バネ手段側リンク機構５７が最大伸張状態に近づくにつれてバネ手段６７の回転付勢力が徐々に低下するものの）オットマン３２を前端位置まで円滑に（素早く）移動させることが可能である。
【００２８】
そして本実施形態のオットマン装置１３は、固定部１４Ｂとバネ手段側リンク機構５７の間にバネ手段６７を設けているので、固定部１４Ａ、１４Ｂを車両用シート１０に対して固定するだけで車両用シート１０に対して取り付けることが可能である。そのためオットマン３２を移動付勢するバネ手段６７を具備する構造でありながら、車両用シート１０側への取り付けを容易に行うことが可能である。
さらにオットマン３２を使用領域まで移動させた後に乗客がオットマン３２に足を載せると、足の重みがオットマン３２とオットマン変位機構１５（固定部側上部リンク１７、連結軸１６）を通じて第３リンク５３に掛かるものの、第３リンク５３（結合用凹部５４）を連結軸１６の軸線方向の中央部（オットマン変位機構１５の該軸線方向の中央部）に固定してあるので、第３リンク５３を連結軸１６の軸線方向の端部（オットマン変位機構１５の該軸線方向の端部）に接続した場合に比べて、歪むことなくロック手段側リンク機構４８はこの重みを確実に受け止めることが可能である。
【００２９】
さらにロック手段４０及びバネ手段６７をリンク機構（ロック手段側リンク機構４８、バネ手段側リンク機構５７）を介してオットマン変位機構１５に接続しているので、ロック手段４０及びバネ手段６７をオットマン変位機構１５の周辺（側面視においてオットマン変位機構１５と重なる部分とは異なる場所）に配置できる。そのためオットマン変位機構１５と重なる部分（狭い空間しか存在しない部分）にロック手段４０及びバネ手段６７を配置する場合に比べて、ロック手段４０及びバネ手段６７を簡単に取り付けることができる。
またロック手段側リンク機構４８及びバネ手段側リンク機構５７を３つのリンク（第１リンク５０、第２リンク５１、及び、第３リンク５３と、第１リンク５８、第２リンク６０、及び、第３リンク６２）によって構成しているので、ロック手段４０をロック状態に切り換えたときにオットマン３２（及びオットマン変位機構１５）を不動状態に維持できるという利点がある。即ち、変形可能なオットマン変位機構１５と固定部１４Ａ、１４Ｂとを接続するリンク機構は２つのリンクを利用して構成することも可能であるが、２つのリンクによってリンク機構を構成する場合は（相対回転可能に接続した一方のリンクを固定部１４Ａ、１４Ｂ側に接続し、他方のリンクをオットマン変位機構１５側に接続する場合は）、一方のリンクに取り付けたピンを、他方のリンクに穿設した長孔に相対移動可能に嵌合することになるので、ロック手段４０をロック状態に切り換えたときに、オットマン３２（及びオットマン変位機構１５）が長孔とピンの隙間分だけガタついてしまう。
【００３０】
以上、本発明を上記実施形態に基づいて説明したが、本発明はこの実施形態に限定されるものではなく、様々な変形を施しながら実施可能である。
例えば固定部１４Ａと固定部１４Ｂを一体化することにより、一つの部材によって固定部を構成してもよい。
また、付勢手段としてバネ手段６７以外のものを用いてもよい。例えば、ゼンマイ式のバネ手段６７とはタイプの異なるバネ手段（例えばコイルバネ、板バネ等）の両端部を固定部とバネ手段側リンク機構にそれぞれ接続してもよい。さらに付勢手段としてガスダンパを利用し、ガスダンパの両端部（シリンダとスライドロッド）を固定部とバネ手段側リンク機構にそれぞれ接続してもよい。
さらに取付用ブラケット６６を省略して、固定部１４Ｂに一体的に形成した突部にバネ手段の一端を係止してもよい。
さらにオットマン変位機構１５を、リンクの数や配置或いは各リンクの具体的形状を変更することにより別の構造からなるリンク機構としてもよい。
また、連結軸１６や固定部側上部リンク１７に、ロック手段側リンク機構４８の構成要素である第３リンク５３や、付勢手段側リンク機構の構成要素である第３リンク６２に相当するリンク（突片）を一体的に成形してもよい。またベースプレート４２に、ロック手段側リンク機構４８の構成要素であるブラケット４９（第１リンク５０）を一体的に形成してもよい。
【００３１】
また第３リンク５３（結合用凹部５４）を、オットマン変位機構１５における連結軸１６の軸線方向の中央点や中央点よりやや左側に固定してもよい。
ロック手段４０のギヤプレート４１とベースプレート４２を、ロック手段側リンク機構を介して、オットマン変位機構１５とオットマン３２にそれぞれ接続したり、固定部１４Ａとオットマン３２にそれぞれ接続してもよい。
また付勢手段の両端を、付勢手段側リンク機構を介して、オットマン変位機構１５とオットマン３２にそれぞれ接続したり、固定部１４Ｂとオットマン３２にそれぞれ接続してもよい。
さらに、ギヤプレート４１の内歯ギヤの歯数と同じ数の位置にオットマン３２を選択的に保持できる上記ロック手段４０の代わりに、保持位置が少ないロック手段を利用してもよい。この種のロック手段は、例えば、オットマン変位機構１５とオットマン３２の一方に形成した複数のロック溝と、他方に設けた各ロック溝に対して選択的に係脱可能なロックピンと、により構成できる。
【符号の説明】
【００３２】
１０    車両用シート
１１    シートクッション
１３    マニュアル式オットマン装置
１４Ａ    固定部（ロック手段側固定部）
１４Ａ１  結合孔
１４Ｂ    固定部（付勢手段側固定部）
１５    オットマン変位機構
１６    連結軸（第２回転中心）
１７    固定部側上部リンク
１７ａ  結合用凹部
１８    固定部側下部リンク
２０    回転接続ピン
２１    オットマン側後部リンク
２２  ２３  回転接続ピン
２４    オットマン側前部リンク
２５    回転接続ピン
３２    オットマン
３３    ベース板
３５    クッション
３７    回転接続ピン
３９    回転接続軸
４０    ロック手段
４１    ギヤプレート
４２    ベースプレート
４３    回転中心軸
４５    回転レバー
４６    操作ワイヤ
４８    ロック手段側リンク機構
４９    ブラケット
５０    第１リンク
５１    第２リンク
５２    連結ピン
５３    第３リンク（端部リンク）
５４    結合用凹部
５５    連結ピン
５７    バネ手段側リンク機構（付勢手段側リンク機構）
５８    第１リンク
５９    連結ピン（第１回転中心）
６０    第２リンク
６１    連結ピン（第１接続中心）
６２    第３リンク
６３    結合用凹部
６４    連結ピン（第２接続中心）
６６    取付用ブラケット（固定部）
６７    バネ手段（付勢手段）
【図１】
0005901937.tif 000002
【図２】
0005901937.tif 000003
【図３】
0005901937.tif 000004
【図４】
0005901937.tif 000005
【図５】
0005901937.tif 000006
【図６】
0005901937.tif 000007
【図７】
0005901937.tif 000008
【図８】
0005901937.tif 000009